(57)【特許請求の範囲】
【請求項１】
ディスクカートリッジの内部に回転自在に収納されたディスク状記録媒体の記録及び／又は再生を行うディスクドライブ装置であって、
上記ディスクカートリッジが挿入されるカートリッジ収納空間を有する筐体と、
上記カートリッジ収納空間内に挿入された上記ディスクカートリッジの内部に収納されたディスク状記録媒体を保持し、当該ディスク状記録媒体を回転駆動する回転駆動手段と、
上記ディスク状記録媒体を保持する上記回転駆動手段の周囲を覆うことにより遮蔽空間を形成する遮蔽手段と、
上記カートリッジ収納空間内の塵埃を除去するフィルタとを備え、
上記遮蔽空間と上記カートリッジ収納空間とは、上記フィルタを介して連通していること
を特徴とするディスクドライブ装置。
【請求項２】
上記遮蔽手段は、上記回転駆動手段の外周を覆うと共に、上記ディスクカートリッジと圧接するように形成された圧接部材からなること
を特徴とする請求項１記載のディスクドライブ装置。
【請求項３】
上記圧接部材は、弾性材料により形成されていること
を特徴とする請求項２記載のディスクドライブ装置。
【請求項４】
上記フィルタは、上記カートリッジ収納空間の上記ディスカートリッジが挿入される側の近傍に位置するように配されていること
を特徴とする請求項１記載のディスクドライブ装置。
【請求項５】
上記ディスクカートリッジは、上記ディスク状記録媒体の記録及び／又は再生を行うヘッドが進入する開口部が形成されてなり、
上記フィルタは、上記カートリッジ収納空間に上記ディスクカートリッジが収納されたときに、当該カートリッジ収納空間の当該ディスクカートリッジに形成された上記開口部の近傍に位置するように配されていること
を特徴とする請求項１記載のディスクドライブ装置。
【請求項６】
上記フィルタは、上記カートリッジ収納空間に上記ディスクカートリッジが収納されたときに、当該カートリッジ収納空間の当該ディスクカートリッジと重ならない位置に配されていること
を特徴とする請求項１記載のディスクドライブ装置。
【請求項７】
上記駆動手段を支持する支持基板を備え、
上記遮蔽空間と上記カートリッジ収納空間とは、上記支持基板に形成された上記ディスク状記録媒体の回転中心を通る直線状の溝を有する管路により連通していること
を特徴とする請求項１記載のディスクドライブ装置。
【発明の詳細な説明】
【０００１】
【発明の属する技術分野】
本発明は、ディスクカートリッジの内部に回転自在に収納された磁気ディスクや光ディスク等のディスク状記録媒体の記録及び／又は再生を行うディスクドライブ装置に関する。
【０００２】
【従来の技術】
例えば、コンピュータ等の情報処理装置に用いられる大容量記憶装置として、リムーバブルハードディスク装置(Removable Hard Disk Drive)（以下、Ｒ−ＨＤＤという。）がある。Ｒ−ＨＤＤは、ディスクカートリッジの内部に回転自在に収納された磁気ディスクに対して情報信号の記録又は再生を行うものであり、ディスクカートリッジは、このＲ−ＨＤＤに対して着脱自在に用いることが可能である。
【０００３】
ここで、Ｒ−ＨＤＤの一構成例を図９に示し、このＲ−ＨＤＤに収納されるディスクカートリッジの一構成例を図１０に示す。
【０００４】
図９に示すように、Ｒ−ＨＤＤ１００は、ディスクカートリッジが挿入される装置本体１０１内に、ディスクカートリッジの内部に回転自在に収納された磁気ディスクを回転駆動するスピンドルモータ１０２と、このスピンドルモータ１０２に取り付けられた永久磁石からなるチャッキングマグネット１０３と、磁気ディスクに対して情報信号の記録又は再生を行う磁気ヘッドが搭載された浮上ヘッドスライダ１０４を先端部に有するヘッドアクチュエータ１０５と、装置本体１０１内に挿入されたディスクカートリッジを押さえ込むホルダ１０６とを備える。
【０００５】
一方、図１０に示すように、ディスクカートリッジ２００は、磁気ディスク２０１を上ハーフ２０２と下ハーフ２０３とからなるカートリッジ本体２０４が挟み込んだ構造とされる。磁気ディスク２０１の略中央部には、永久磁石によるチャッキングを目的とした強磁性体からなるハブ２０５が取り付けられている。これに対応して、カートリッジ本体２０４には、下ハーフ２０３の略中央部に、この磁気ディスク２０１に取り付けられたハブ２０５を外方へと臨ませる開口部（以下、ハブ用開口部という。）２０６が設けられている。また、カートリッジ本体２０４には、その側面の立上り周壁２０４ａの一部に、Ｒ−ＨＤＤ１００のヘッドアクチュエータ１０５を内部へと進入させる開口部（以下、ヘッド用開口部という。）２０７が設けられている。また、ディスクカートリッジ２００は、塵埃等の侵入を防止するため、非使用時にハブ用開口部２０６及びヘッド用開口部２０７を塞ぐシャッタ機構２０８を備えている。
【０００６】
Ｒ−ＨＤＤ１００では、装置本体１０１内にディスクカートリッジ２００が挿入されると、ディスクカートリッジ２００のハブ用開口部２０６及びヘッド用開口部２０７が開口される。そして、このディスクカートリッジ２００が、ホルダ１０６ごとスピンドルモータ１０２の側へと下降する。このとき、ディスクカートリッジ２００のハブ用開口部２０６から外方に臨む磁気ディスク２０１のハブ２０５が、スピンドルモータ１０２に取り付けられたチャッキングマグネット１０３に吸着する。これにより、ディスクカートリッジ２００に収納された磁気ディスク２０１がスピンドルモータ１０２に保持される。
【０００７】
Ｒ−ＨＤＤ１００では、記録再生時に、スピンドルモータ１０２がディスクカートリッジ２００内に収納された磁気ディスク２０１を回転駆動する。Ｒ−ＨＤＤ１００では、磁気ディスク２０１が所定の回転数まで回転駆動されると、ヘッドアクチュエータ１０５がディスクカートリッジ２００のヘッド用開口部２０７から進入する。そして、ヘッドアクチュエータ１０５の先端部に設けられた浮上ヘッドスライダ１０４が、回転する磁気ディスク２０１との間に発生するエアフィルムにより僅かに浮上しながら、この浮上ヘッドスライダ１０４に搭載された磁気ヘッドにより、磁気ディスク２０１に対して情報信号の記録又は再生を行う。
【０００８】
Ｒ−ＨＤＤ１００では、使用終了時に、上述した動作とは逆の動作により、ディスクカートリッジ２００を装置本体１０１内から排出する。
【０００９】
【発明が解決しようとする課題】
ところで、Ｒ−ＨＤＤ１００では、上述したように、ディスクカートリッジ２００の内部に収納された磁気ディスク２０１に対して情報信号の記録又は再生を行う際、浮上ヘッドスライダ１０４が、回転する磁気ディスク２０１の信号記録面に対して、空気力学的な作用により微小な間隔を以て浮上した状態となる。これにより、浮上ヘッドスライダ１０４に搭載された磁気ヘッドと磁気ディスク２０１とが接触して摩耗してしまうことを防止している。
【００１０】
しかしながら、Ｒ−ＨＤＤ１００では、磁気ディスク２０１が高速で回転駆動されると共に、この回転する磁気ディスク２０１の主面に対して、浮上ヘッドスライダ１０４が数十ｎｍ程度の微小な間隔で浮上している。このため、Ｒ−ＨＤＤ１００は、塵埃等に対して非常に弱く、ディスクカートリッジ２００の内部に塵埃等が侵入して磁気ディスク２０１の表面に付着することがあると、非常に微小な塵埃等であっても、情報信号の記録再生の不良を招いたり、場合によっては、磁気ディスク２０１と浮上ヘッドスライダ１０４との間に塵埃等が入り込み、磁気ディスク２０１が傷つけられたり、浮上ヘッドスライダ１０４に搭載された磁気ヘッドの物理的な破壊（ヘッドクラッシュ）を招いてしまう危険すら生じてしまう。
【００１１】
ところで、Ｒ−ＨＤＤ１００では、磁気ディスク２０１がディスクカートリッジ２００の内部において高速で回転すると、この磁気ディスク２０１の主面上に空気流が発生し、一種の遠心ポンプ的な作用が生じることにより、ディスクカートリッジ２００の内部における磁気ディスク２０１の回転中心付近が負圧となる。このため、塵埃等を含んだ外部の空気が、カートリッジ本体２０４の下ハーフ２０３中央部に設けられたハブ用開口部２０６を通って、ディスクカートリッジ２００の内部に流入すると同時に、カートリッジ２００内の空気が、ディスクカートリッジ本体２０４の側面部の立上り周壁２０４ａに設けられたヘッド用開口部２０７から流出することとなる。
【００１２】
したがって、Ｒ−ＨＤＤ１００では、塵埃等を含んだ外部の空気がハブ用開口部２０７を通って、ディスクカートリッジ２００の内部を汚染してしまうことがあった。
【００１３】
また、Ｒ−ＨＤＤ１００では、ディスクカートリッジ２００が挿入される装置本体１０１の微小な隙間からも、拡散や局所的な圧力の低下によって、塵埃等を含んだ外部の空気が装置本体１０１内に侵入してしまい、この装置本体１０１の内部及びディスクカートリッジ２００の内部を汚染してしまうことがあった。
【００１４】
そこで、Ｒ−ＨＤＤ１００では、塵埃等を含んだ外部の空気の侵入を防ぐため、ディスクカートリッジ２００のハブ用開口部２０６の周囲を弾性体の遮蔽部材により遮蔽することが考えられる。しかしながら、Ｒ−ＨＤＤ１００では、ディスクカートリッジ２００の内部における磁気ディスク２０１の中心付近が負圧となることから、磁気ディスク２０１を保持するスピンドルモータ１０２近傍の圧力も低下してしまう。このため、スピンドルモータ１０２内部のグリスや作動流体、或いは磁性流体シール内の気泡等が破裂してしまい、これらが飛散することで、ディスクカートリッジ２００の内部を汚染してしまうといった問題があった。
【００１５】
そこで、本発明はこのような従来の事情に鑑みて提案されたものであり、ディスクカートリッジの内部に回転自在に収納されたディスク状記録媒体の記録及び／又は再生を行う際、高い防塵性を発揮できるようにしたディスクドライブ装置を提供することを目的とする。
【００１６】
【課題を解決するための手段】
本発明に係るディスクドライブ装置は、ディスクカートリッジの内部に回転自在に収納されたディスク状記録媒体の記録及び／又は再生を行うディスクドライブ装置であって、ディスクカートリッジが挿入されるカートリッジ収納空間を有する筐体と、カートリッジ収納空間内に挿入されたディスクカートリッジの内部に収納されたディスク状記録媒体を保持し、当該ディスク状記録媒体を回転駆動する回転駆動手段と、ディスク状記録媒体を保持する回転駆動手段の周囲を覆うことにより遮蔽空間を形成する遮蔽手段と、カートリッジ収納空間内の塵埃を除去するフィルタとを備え、遮蔽空間とカートリッジ収納空間とは、フィルタを介して連通していることを特徴とする。
【００１７】
以上のように構成されたディスクドライブ装置では、ディスクカートリッジの内部に収納されたディスク状記録媒体が、回転駆動手段により回転駆動されると、ディスク状記録媒体を保持する回転駆動手段の周囲が負圧となる。
【００１８】
このディスクドライブ装置では、遮蔽手段によりディスク状記録媒体を保持する回転駆動手段の周囲を覆う遮蔽空間が形成されている。このため、塵埃等を含んだ空気がディスク状記録媒体を保持する回転駆動手段の周囲からディスクカートリッジの内部に吸い込まれることがなく、ディスカートリッジ内部を清浄に保つことができる。そして、このディスクドライブ装置では、遮蔽空間とカートリッジ収納空間とがフィルタを介して連通していることから、フィルタにより清浄された空気がカートリッジ収納空間から遮蔽空間内に供給される。これにより、ディスクカートリッジの内部に清浄された空気を供給することができ、当該ディスクカートリッジの内部を塵埃等により汚染することなく、遮蔽空間内の極端な圧力低下を抑えることができる。
【００１９】
また、このディスクドライブ装置では、フィルタを介してカートリッジ収納空間内の空気が遮蔽空間側へと吸引されることから、当該カートリッジ収納空間内の空気を清浄にすることができる。
【００２０】
また、このディスクドライブ装置では、カートリッジ収納空間内の圧力が外部よりも高くなることから、当該カートリッジ収納空間内に塵埃等を含んだ外部の空気が侵入することを防止することができる。
【００２１】
なお、遮蔽手段は、回転駆動手段の外周を覆うと共に、ディスクカートリッジと圧接するように形成された圧接部材からなることが好ましい。これにより、遮蔽空間を高精度に遮蔽することができ、ディスクカートリッジの内部に塵埃が侵入することを防止することができる。なお、圧接部材は、弾性材料により形成されていることが好ましい。
【００２２】
また、フィルタは、カートリッジ収納空間のディスカートリッジが挿入される側の近傍に位置して配されていることが好ましい。
【００２３】
この場合、カートリッジ収納空間の外部から侵入する塵埃を効率よく捕集することができ、カートリッジ収納空間の内部を清浄することができる。
【００２４】
また、ディスクカートリッジは、ディスク状記録媒体の記録及び／又は再生を行うヘッドが進入する開口部が形成されてなり、フィルタは、カートリッジ収納空間にディスクカートリッジが収納されたときに、当該カートリッジ収納空間の当該ディスクカートリッジに形成された上記開口部の近傍に位置するように配されていることが好ましい。
【００２５】
この場合、圧力損失の少ないフィルタを使用することが可能となり、遮蔽空間内の極端な圧力低下を防ぐことができる。
【００２６】
また、フィルタは、カートリッジ収納空間にディスクカートリッジが収納されたときに、当該カートリッジ収納空間の当該ディスクカートリッジと重ならない位置に配されていることが好ましい。
【００２７】
この場合、カートリッジ収納空間の内部を有効に利用することができ、フィルタの厚みを厚くすることができる。
【００２８】
また、駆動手段を支持する支持基板を備え、遮蔽空間とカートリッジ収納空間とは、支持基板に形成されたディスク状記録媒体の回転中心を通る直線状の溝を有する管路により連通していることが好ましい。
【００２９】
この場合、駆動手段を支持する支持基板の剛性低下を抑えることができ、当該支持基板に発生する振動を防止することができる。
【００３０】
【発明の実施の形態】
以下、本発明の実施の形態について図面を参照して詳細に説明する。
【００３１】
本発明の実施の形態として図１に示すディスクドライブ装置１は、いわゆるリムーバブルハードディスク装置であり、ディスクカートリッジ２の内部に回転自在に収納された磁気ディスクに対して情報の記録又は再生を行うものである。また、ディスクカートリッジ２は、いわゆるリムーバブルハードディスクであり、ディスクドライブ装置１に対して着脱自在に使用することが可能である。
【００３２】
先ず、本発明を適用したディスクドライブ装置１に収納されるディスクカートリッジ２について説明する。なお、図２は、ディスクカートリッジ２の構成を説明するための分解斜視図である。また、図３は、ディスクドライブ装置１にディスクカートリッジ２が収納された状態を示す概略断面図である。
【００３３】
このディスクカートリッジ２は、図１乃び図３に示すように、一対の上ハーフ３及び下ハーフ４を突き合わせ、周縁部を複数のビスや接着剤等により結合したカートリッジ本体５と、このカートリッジ本体５の内部に回転自在に収納された磁気ディスク６とを備えている。
【００３４】
カートリッジ本体５は、合成樹脂等からなり、ディスクドライブ装置１に挿入される側の端面５ａが、その内部に収納された磁気ディスク６の外形と略等しい曲率を有するように略円弧状に形成されている。上ハーフ３及び下ハーフ４には、このカートリッジ本体５の外周を形成する立上り周壁３ａ，４ａと、この立上り周壁３ａ，４ａに内接するように略円弧状の仕切壁３ｂ，４ｂとがそれぞれ立設されている。この仕切壁３ｂ，４ｂは、上ハーフ３及び下ハーフ４を突き合わせた際、磁気ディスク６が回転自在に収納される空間を形成する。
【００３５】
また、カートリッジ本体５には、下ハーフ４の略中央部に位置して、詳細を後述する磁気ディスク６に取り付けられたハブを外方へと臨ませる開口部（以下、ハブ用開口部という。）７が設けられている。このハブ用開口部７は、略円形状を呈し、詳細を後述するディスクドライブ装置１のスピンドルモータに取り付けられたディスクテーブルが進入できる程度の大きさに形成されている。
【００３６】
また、カートリッジ本体５には、ディスクドライブ装置１に挿入される側の端面５ａの立上り周壁３ａ，４ａの一部に、詳細を後述するディスクドライブ装置１のヘッドアクチュエータを内部へと進入させる開口部（以下、ヘッド用開口部）８が設けられている。このヘッド用開口部８は、略矩形状を呈し、ヘッドアクチュエータの先端部に取り付けられた浮上ヘッドスライダが磁気ディスク６の信号記録面上を内外周に亘って操作できる程度の大きさに形成されている。
【００３７】
また、ディスクカートリッジ２は、塵埃等の進入を防止するため、非使用時にハブ用開口部７及びヘッド用開口部８を塞ぐシャッタ機構９を備えている。このシャッタ機構９は、ディスクカートリッジ２の挿脱方向と略平行なカートリッジ本体５の一方の側面５ｂから外方に臨むレバーと、このレバーと一体成形されたハブ用開口部７及びヘッド用開口部８を塞ぐシャッタとを有し、非使用時には、シャッタがハブ用開口部７及びヘッド用開口部８を塞ぐ方向にバネ等により付勢されている。そして、シャッタ機構９では、ディスクカートリッジ２がディスクドライブ装置１に挿入された際、このディスクドライブ装置１側のシャッタ開放機構と連動して、レバーがバネの付勢に抗してスライドすることにより、シャッタがスライドしてハブ用開口部７及びヘッド用開口部８が開口される。
【００３８】
磁気ディスク６は、いわゆるハードディスクであり、略中央部に中心孔を有するディスク基板上に磁性層及び保護層等が順次積層されてなる。磁気ディスク６の中心孔には、永久磁石によるチャッキングを目的としたハブ１０が取り付けられている。このハブ１０は、強磁性体からなり、かしめ、ネジ止め、接着等により固着されている。また、ハブ１０の略中央部には、詳細を後述するディスクドライブ装置１のスピンドルモータの支軸と嵌合するハブ孔１０ａが穿設されている。
【００３９】
次に、本発明を適用したディスクドライブ装置１の構成について説明する。なお、図４は、図１に示すディスクドライブ装置１の上カバーを省略して示す概略斜視図である。また、図５は、図４に示すディスクドライブ装置１のホルダを省略して示す概略斜視図である。
【００４０】
このディスクドライブ装置１は、図１及び図３に示すように、外装となるケース１１と、このケース１１内に組み付けられた装置本体１２とを備える。
【００４１】
ケース１１は、図１に示すように、装置本体１２に塵埃等が侵入するのを防止する目的で、装置本体１２の上部にビス等により取り付けられた上カバー１３と、装置本体１２の底面部にビス等により取り付けられた下カバー１４とから構成される。
【００４２】
上カバー１３には、正面パネル１３ａにディスクカートリッジ２が挿脱される開口（以下、カートリッジ挿脱口という。）１３ｂと、このカートリッジ挿脱口１３ｂを塞ぐシャッタ１５とが設けられている。そして、ケース１１の内部には、図３に示すように、カートリッジ挿脱口１３ｂと接続されると共に、ディスクカートリッジ２を収納するカートリッジ収納空間１ａが形成されている。一方、下カバー１４には、装置本体１２の底面部を構成するシャーシ１６との間に密閉空間１ｂが形成されている。
【００４３】
装置本体１２は、図３乃至図５に示すように、上述したシャーシ１６上に、ディスクカートリッジ２の内部に収納された磁気ディスク６を回転駆動するスピンドルモータ１７と、ディスクカートリッジ２の内部に収納された磁気ディスク６に対して情報信号の記録又は再生を行うヘッドアクチュエータ１８と、ケース１１内に挿入されたディスクカートリッジ２を押さえ込むホルダ１９とを備えている。
【００４４】
スピンドルモータ１７は、図３及び図５に示すように、カートリッジ収納空間１ａの略中央部に設けられている。このスピンドルモータ１７は、ステータヨークを構成するモータハウジング２０と、このモータハウジング２０の中心部にベアリングを介して回転自在に取り付けられたスピンドル軸２１と、このスピンドル軸２１の上端近傍に固着されモータハウジング２０内に収容されたロータ２２と、このロータ２２の内周側に取り付けられたロータマグネット２３と、このロータマグネット２３と対向してモータハウジング２０側に取り付けられた駆動コイル２４とを備える。ロータ２２の上面には、水平なディスクテーブル２５が一体に成形されている。さらに、このディスクテーブル２５には、環状の永久磁石からなるチャッキングマグネット２６が水平に埋設されている。
【００４５】
そして、スピンドルモータ１７では、駆動コイル２４に電流が供給されることにより磁界が発生し、この駆動コイル２４と対向するロータマグネット２３との磁気的作用により、スピンドル軸２１と共に、ロータ２２と一体成形されたディスクテーブル２５が回転駆動される。
【００４６】
ヘッドアクチュエータ１８は、図４及び図５に示すように、カートリッジ収納空間１ａのカートリッジ挿脱口１３ｂとは反対側に設けられている。このヘッドアクチュエータ１８は、シャーシ１６上に軸支された回動アーム２６と、この回動アーム２６に一方側に設けられたボイスコイルモータ２７と、この回動アーム２６の他方側に取り付けられた所定の弾性を有するサスペンション２８と、このサスペンション２８の先端部に取り付けられた浮上ヘッドスライダ２９とを備えている。
【００４７】
ボイスコイルモータ２７は、回動アーム２６側に取り付けられたコイルと、このコイルと対向してシャーシ１６側に取り付けられたマグネットとを備える。そして、ボイスコイルモータ２７では、コイルに電流が供給されることにより磁界が発生し、このコイルと対向するマグネットとの磁気的作用により、回動アーム２６が所定の角度だけ回動される。
【００４８】
サスペンション２８は、弾性力によって浮上ヘッドスライダ２９を磁気ディスク６側へと付勢する。また、浮上ヘッドスライダ２９には、磁気ヘッドが搭載されており、磁気ディスク６に対して情報信号の記録又は再生を行う。
【００４９】
ホルダ１９は、図３及び図４に示すように、カートリッジ挿脱口１３ｂと接続されており、シャーシ１６と共にディスクカートリッジ２を収納するカートリッジ収納空間１ａを構成している。ホルダ１９は、カートリッジ収納空間１ａに収納されたディスクカートリッジ２を押さえ込みながら、モータ、バネ、人力等により、図中矢印Ａ，Ｂ方向に可動する。また、ホルダ１９は、ディスクカートリッジ２に設けられたシャッタ機構９に対して、ハブ用開口部７及びヘッド用開口部８を開口させるシャッタ開放機構を備えている。このシャッタ開放機構は、カートリッジ本体５の側面５ａから外方に臨むレバーと係合する係合片を有し、ディスクカートリッジ２がカートリッジ挿脱口１３ｂから挿入された際、係合片がレバーと係合して、このレバーをスライドさせることにより、ディスクカートリッジ２のシャッタをスライドさせてハブ用開口部７及びヘッド用開口部８を開口させる。
【００５０】
なお、図４は、ホルダ１９がスピンドルモータ１７側（図中矢印Ａ方向）に下降した状態を示すものであるが、ホルダ１９に押さえ込まれたディスクカートリッジ２を便宜上省略して示すものとする。
【００５１】
また、装置本体１２は、図３及び図５に示すように、カートリッジ収納空間１ａ内にディスクカートリッジ２が収納された際、ディスクカートリッジ２内の磁気ディスク６を保持するスピンドルモータ１７の周囲を覆う遮蔽部材３０を備えている。
【００５２】
この遮蔽部材３０は、発泡性シール部材料や、低高度ゴム等の弾性材料からなり、スピンドルモータ１７の外周を覆うと共に、ディスカートリッジ２の下ハーフ４に圧接しながらハブ用開口部７の外周を覆う略円環状の壁として、シャーシ１６上に設けられている。このため、ディスクドライブ装置１では、カートリッジ収納空間１ａ内にディスクカートリッジ２が収納されると、遮蔽部材３０がディスクカートリッジ２内の磁気ディスク６を保持するスピンドルモータ１７の周囲を覆うこととなり、ディスクカートリッジ２の内部と共に、スピンドルモータ１７の内部と通じた遮蔽空間であるモータ空間部３１が形成される。
【００５３】
また、装置本体１２は、カートリッジ収納空間１ａのカートリッジ挿脱口１３ｂを臨む位置に設けられたフィルタ空間部３２と、カートリッジ収納空間１ａ内の塵埃等を除去するフィルタ３３とを備えている。
【００５４】
フィルタ空間部３２は、カートリッジ挿脱口１３ｂと略等しい幅を有し、シャーシ１６と、このシャーシ１６上に立設された略矩形状をなす側壁３４と、この側壁３４上に取り付けられたフィルタ３３とから構成される。フィルタ空間部３２には、側壁３４により仕切られたシャーシ１６上の略中央部に、吸気孔３５が穿設されている。
【００５５】
フィルタ３３は、カートリッジ収納空間１ａに向かって開口するフィルタ空間部３２を閉塞するように設けられている。フィルタ３３は、図６に示すように、略平板状を呈し、例えばポリテトラフルオロエチレン（ＦＴＦＥ）等のフィルトネーション機能を有するフィルタ膜３６が、例えばポリエチレン等の熱可塑性を有する繊維から作製された不織布等からなる一対の保護膜３７により封入されてなる。フィルタ３３は、シャーシ１６に対して略平行であり、幅０．５〜１ｍｍ程度の外縁部分を、保護膜３７の融着や、粘着テープ、接着剤等の固定手段によりフィルタ空間部３２の側壁３４に取り付けて、フィルタ空間部３２を密閉している。
【００５６】
ここで、フィルタ３３としては、以下の特徴を持たせることが好ましい。すなわち、フィルタ３３としては、外部の汚染された空気が通り、捕集される塵埃等の堆積量が多くなることから、長時間の使用に対しても目詰まりを起こさないものを使用することが好ましい（以下、条件１とする。）。また、フィルタ３３としては、塵埃等の捕集効率が９９％以上である高い捕集効率を有するものを使用することが好ましい（以下、条件２とする。）。また、フィルタ３３としては、スピンドルモータ内部の圧力低下を防ぐため、圧力損失が少ないものを使用することが好ましい（以下、条件３とする）。
【００５７】
ここで、条件１を満足させるためには、フィルタの表面積を大型化することが有効である。
【００５８】
また、条件２を満足させるためには、圧力損失の大きなフィルタを使用することが好ましい。しかしながら、この場合、条件３に反して圧力損失が大きくなってしまう（１０mmH2Oat５．３cm/s程度）。
【００５９】
そこで、条件２及び条件３を矛盾なく満足させるためには、フィルタの表面積を大型化し、フィルタ単位面積当たりの圧力損失を大きくしても、全体として圧力損失を低くすればよい。これは、条件１に合致するものである。
【００６０】
以上のことから、フィルタ３３としては、略平板状を呈し、シャーシ１６に対して略平行に配置されたものが好ましい。これにより、フィルタ３３では、表面積の大型化が可能となり、上述した３つの条件を同時に満足させることが可能となる。
【００６１】
また、装置本体１２は、図３及び図５に示すように、上述したモータ空間部３１とフィルタ空間部３２とを連通させる管路３８を備えている。この管路３８は、シャーシ１６の密閉空間１ｂ側に形成された通気溝３９と、この通気溝３９を覆うようにシャーシ１６に貼り付けられた粘着テープや板材等のシール部材４０とにより形成される。
【００６２】
ところで、ディスクドライブ装置１では、シャーシ１６上に溝が形成されることにより、シャーシ１６の剛性低下が問題となる。すなわち、ディスクドライブ装置１では、シャーシ１６の剛性低下に伴って、スピンドルモータ１７を中心にシャーシ１６が太鼓のように上下に振動する振動モードが低い周波数で発生することがある。
【００６３】
そこで、ディスクドライブ装置１では、通気溝３９が、スピンドルモータ１７の回転中心を通る直線状の溝としてシャーシ１６上に形成されていることが好ましい。これにより、シャーシ１６に溝を形成することによるシャーシ１６の剛性低下を抑えることができ、シャーシ１６に発生する振動を防止することができる。
【００６４】
以上のように構成されたディスクドライブ装置１では、ディスクカートリッジ２がカートリッジ挿脱口１３ｂから装置本体１２の内部に挿入されると、ディスクカートリッジ２が装置本体１２のホルダ１９に押さえ込まれる。このとき、ホルダ１９のシャッタ開放機構により、ディスクカートリッジ２のシャッタ機構９が開放され、ディスクカートリッジ２のハブ用開口部７及びヘッド用開口部８が開口される。そして、ディスクドライブ装置１では、ディスクカートリッジ２がホルダ１９に押さえ込まれたままスピンドルモータ１７側へと下降する。
【００６５】
ディスクドライブ装置１では、ディスクカートリッジ２がスピンドルモータ１７側へと下降すると、ディスクカートリッジ２のハブ用開口部７から外方に臨む磁気ディスク６のハブ１０が、ディスクテーブル２５に埋設されたチャッキングマグネット２３に磁気的に吸引される。これにより、ハブ１０がディスクテーブル２５にチャッキングされると共に、ハブ１０のハブ孔１０ａとスピンドルモータ１７のスピンドル軸２１とが嵌合され、ディスクカートリッジ２の内部に収納された磁気ディスク６がスピンドルモータ１７に保持される。
【００６６】
また、ディスクドライブ装置１では、シャーシ１６上に設けられた遮蔽部材３０が、スピンドルモータ１７の外周を覆うと共に、ディスカートリッジ２の下ハーフ４に圧接しながらハブ用開口部７の外周を覆うことになる。これにより、ディスクカートリッジ２の内部と共に、スピンドルモータ１７の内部と通じた遮蔽空間であるモータ空間部３１が形成される。
【００６７】
そして、ディスクドライブ装置１では、ディスクカートリッジ２をカートリッジ収納空間１ａ内に収納する動作が完了する。
【００６８】
ディスクドライブ装置１では、磁気ディスク６に対して情報信号の記録又は再生を行う際、スピンドルモータ１７がディスカートリッジ２内に収納された磁気ディスク６を回転駆動する。ディスクドライブ装置１では、磁気ディスク６が所定の回転数まで回転駆動されると、ヘッドアクチュエータ１８の回動アーム２６が、ボイスコイルモータ２７により回動され、ヘッドアクチュエータ１８がディスクカートリッジ２のヘッド用開口部８から内部へと進入する。そして、回動アーム２６に取り付けられたサスペンション２８の先端部に設けられた浮上ヘッドスライダ２９が、回転する磁気ディスク６の信号記録面上に着地する。
【００６９】
ここで、浮上ヘッドスライダ２９は、着地と言っても磁気ディスク６と接触することはなく、この浮上ヘッドスライダ２９と回転する磁気ディスク６との間に発生するエアフィルムと、サスペンションの弾性力とのバランスによって、浮上ヘッドスライダ２９が磁気ディスク６の主面に対して、数十μｍ程度の微小な間隔を以て浮上した状態で保持される。
【００７０】
そして、ディスクドライブ装置１では、浮上ヘッドスライダ２９に搭載された磁気ヘッドにより、磁気ディスク６の信号記録面に対して非接触状態で情報信号の記録又は再生が行われる。
【００７１】
ディスクドライブ装置１では、使用終了時に、上述した動作とは逆の動作により、ディスクカートリッジ２をカートリッジ挿脱口１３ｂから排出する。
【００７２】
ところで、このディスクドライブ装置１では、磁気ディスク６がディスクカートリッジ２の内部において高速で回転すると、この磁気ディスク６の主面上に空気流が発生し、一種の遠心ポンプ的な作用が生じることにより、ディスクカートリッジ２の内部における磁気ディスク６の回転中心付近が負圧となる。
【００７３】
このディスクドライブ装置１では、遮蔽部材３０が、スピンドルモータ１７の外周を覆うと共に、ディスカートリッジ２の下ハーフ４に圧接しながらハブ用開口部７の外周を覆う略円環状の壁として、シャーシ１６上に設けられている。そして、この遮蔽部材３０が、ディスクカートリッジ２内の磁気ディスク６を保持するスピンドルモータ１７の周囲を覆うことにより、ディスカートリッジ２の内部と共に、スピンドルモータ１７の内部と通じた遮蔽空間であるモータ空間部３１が形成されている。
【００７４】
このため、このディスクドライブ装置１では、塵埃等を含んだ空気がハブ用開口部７を通ってディスクカートリッジ２の内部に吸い込まれることを未然に防ぐことができ、ディスクカートリッジ２の内部を清浄に保つことができる。
【００７５】
また、このディスクドライブ装置１では、モータ空間部３１がハブ用開口部７を介してディスクカートリッジ２の内部と通じていることから、このモータ空間部３１内も負圧となる。このディスクドライブ装置１では、モータ空間部３１が管路３８を通ってフィルタ空間部３２と連通していることから、フィルタ空間部３２の吸気孔３５に吸引力が発生し、フィルタ３３を介してカートリッジ収納空間１ａからフィルタ空間部３２内に清浄された空気が供給される。そして、この清浄された空気が、管路３８を通ってモータ空間部３１内に供給される。
【００７６】
これにより、このディスクドライブ装置１では、ディスクカートリッジ２の内部に清浄な空気を供給することができ、このディスクカートリッジ２の内部を塵埃等により汚染することなく、モータ空間部３１内の極端な圧力低下を抑えることができる。
【００７７】
したがって、このディスクドライブ装置１では、スピンドルモータ１７内部のグリスや作動流体、或いは磁性流体シール内の気泡等が破裂して、これらが飛散することにより、ディスクカートリッジ２の内部を汚染してしまうことを未然に防止することができる。
【００７８】
また、ディスクドライブ装置１では、フィルタ３３を介してカートリッジ収納空間１ａ内の空気をモータ空間部３１側へと吸引している。このため、ディスクドライブ装置１では、カートリッジ収納空間１ａ内の空気を清浄にすることができる。
【００７９】
ところで、ディスクドライブ装置１では、フィルタ３３を介してフィルタ空間部３２内に供給される空気の一部が、カートリッジ挿脱口１３ｂの外側から供給されている。そして、ディスクカートリッジ２では、ハブ用開口部７から吸い込まれた清浄な空気が、カートリッジ本体５内部を循環して、ヘッド用開口部８からカートリッジ収納空間１ａへと放出されている。
【００８０】
このため、ディスクドライブ装置では、カートリッジ収納空間１ａ内の圧力が外部と比べて若干高くなる。したがって、このディスクドライブ装置１では、拡散や局所的な圧力低下によって、塵埃等を含んだ外部の空気がカートリッジ収納空間１ａ内に侵入することを未然に防止することができる。
【００８１】
また、ディスクドライブ装置１では、フィルタ空間部３２がカートリッジ収納空間１ａのカートリッジ挿脱口１３ｂを臨む位置に設けられている。このため、ディスクドライブ装置１では、カートリッジ挿脱口１３ｂから塵埃等を含んだ外部の空気が侵入したとしても、このフィルタ空間部３２に設けられたフィルタ３３により塵埃等を効率よく捕集することができ、カートリッジ収納空間１ａ内が塵埃等により汚染されることを防ぐことができる。
【００８２】
以上のように、このディスクドライブ装置１では、ディスクカートリッジ２に収納された磁気ディスク６に対して情報信号の記録又は再生を行う際、極めて高い防塵性を発揮することができる。このため、情報信号の記録再生の不良を招いたり、磁気ディスク６に付着した塵埃等によって、磁気ディスク６が傷つけられたり、浮上ヘッドスライダ２９に搭載された磁気ヘッドの物理的な破壊（ヘッドクラッシュ）を招いてしまう危険を防止することが可能となる。
【００８３】
また、ディスクドライブ装置１では、図７及び図８に示すように、カートリッジ収納空間部１ａ内のヘッドアクチュエータ１８の近傍に位置して、第２のフィルタ空間部４１及び第２のフィルタ４２を配置した構成としてもよい。
【００８４】
この第２のフィルタ空間部４１は、シャーシ１６と、このシャーシ１６上に立設された略矩形状をなす第２の側壁４３と、この第２の側壁４３上に取り付けられた第２のフィルタ４２とから構成される。第２のフィルタ空間部４１には、第２の側壁４３により仕切られたシャーシ１６上の略中央部に、第２の吸気孔４４が穿設されている。
【００８５】
第２のフィルタ４２は、カートリッジ収納空間１ａに向かって開口する第２のフィルタ空間部４１を閉塞するように設けられている。
【００８６】
また、装置本体１２には、モータ空間部３１と第２のフィルタ空間部４１とを連通させる第２の管路４５が設けられている。この第２の管路４５は、シャーシ１６の密閉空間１ｂ側に形成された第２の通気溝４６と、この第２の通気溝４６を覆うようにシャーシ１６に貼り付けられた粘着テープや板材等の第２のシール部材４７とにより形成されている。
【００８７】
また、第２の通気溝４６は、スピンドルモータ１７の回転中心を通る直線状の溝としてシャーシ１６上に形成されていることが好ましい。これにより、シャーシ１６に溝を形成することによるシャーシ１６の剛性低下を抑えることができ、シャーシ１６に発生する振動を防止することができる。
【００８８】
以上のように構成されたディスクドライブ装置１では、第２のフィルタ空間部４１が第２の管路４５を通ってモータ空間部３１と連通していることから、第２のフィルタ空間部４１の第２の吸気孔４４に吸引力が発生し、第２のフィルタ４２を介してカートリッジ収納空間１ａから第２のフィルタ空間部４１内に清浄された空気が供給される。そして、この清浄された空気が、第２の管路４５を通ってモータ空間部３１内に供給される。
【００８９】
これにより、ディスクドライブ装置１では、ディスクカートリッジ２の内部に清浄な空気を供給することができ、このディスクカートリッジ２の内部を塵埃等により汚染することなく、モータ空間部３１内の極端な圧力低下を抑えることができる。
【００９０】
したがって、このディスクドライブ装置１では、スピンドルモータ内部のグリスや作動流体、或いは磁性流体シール内の気泡等が破裂して、これらが飛散することにより、ディスクカートリッジ２の内部を汚染してしまうことを未然に防止することが可能となる。
【００９１】
また、ディスクドライブ装置１では、第２のフィルタ４２を介してカートリッジ収納空間１ａ内の空気をモータ空間部３１側へと吸引している。このため、ディスクドライブ装置１では、カートリッジ収納空間１ａ内の空気を清浄にすることができる。
【００９２】
ところで、ディスクドライブ装置１では、ディスクカートリッジ２のハブ用開口部７から吸い込まれた清浄な空気が、カートリッジ本体５内部を循環して、ヘッド用開口部８からカートリッジ収納空間１ａへと放出されている。そして、第２のフィルタ空間部４１及び第２のフィルタ４２は、このカートリッジ収納空間部１ａ内のヘッドアクチュエータ１８の近傍に配設されており、カートリッジ挿脱口１３ｂから遠い位置に配置されている。このため、第２のフィルタ４２には、外部から侵入した空気が通ることが非常に少なく、一度以上フィルトネーションされた空気が通過する確率が非常に高い。
【００９３】
この場合、第２のフィルタとしては、カートリッジ挿脱口１３ｂ側に配置されたフィルタ３５ほど塵埃等を捕集する必要がなく、圧力損失の少ないフィルタを使用することが可能である。
【００９４】
したがって、第２のフィルタ４２としては、スピンドルモータ１７内部の圧力低下の防止を満足させやすくするため、圧力損失の少ないフィルタを用いることが好ましい。すなわち、第２のフィルタ４２としては、固定型ハードディスクドライブ装置に通常使用される循環フィルタに近いものが好ましく、具体的には、塵埃等の捕集効率が３０〜７０％、圧力損失が１mmH2Oat５．３cm/s程度のエレクトレットタイプ（直立型）のフィルタが最も好ましい。
【００９５】
なお、第２のフィルタ４２は、基本的にはカートリッジ挿脱口１３ｂからなるべく遠い位置に配置されるべきであるが、好ましくはカートリッジ収納空間１ａ内に収納されたディスクカートリッジ２のヘッド用開口部８近傍に配置されることが効率の観点から好ましい。
【００９６】
また、第２のフィルタ空間部４１及び第２のフィルタ４２は、カートリッジ収納空間１ａに収納されたディスクカートリッジ２と重ならない位置に配置されることが好ましい。
【００９７】
この場合、第２のフィルタ空間部４１及び第２のフィルタ４２は、ディスクカートリッジ２と高さ方向において干渉しないことから、カートリッジ収納空間１ａを有効に利用することができる。このため、第２のフィルタ４２の厚みを厚くすることができ、例えばエレクトレットタイプ（直立型）のフィルタを使用するのに好適なものとなる。
【００９８】
なお、ディスクドライブ装置１では、第２のフィルタ空間部４１に第２のフィルタ４２を設けずに、カートリッジ収納空間１ａから直接第２の管路４５を通してモータ空間部３１に空気を供給してもよい。
【００９９】
なお、ディスクドライブ装置１において、管路３８及び第２の管路４５を構成する際には、シャーシ１６の密閉空間１ｂ側とは逆に、カートリッジ収納空間１ａ側のシャーシ１６上に通気溝３９及び第２の通気溝４６を形成し、これら通気溝３９及び第２の通気溝４６をそれぞれシール部材４０及び第２のシール部材４７で覆う構成としてもよい。
【０１００】
なお、本発明を適用したディスクドライブ装置としては、上述した磁気ディスクを用いたディスクドライブ装置１に限定されるものではなく、光ディスク、光磁気ディスク等を用いたディスクドライブ装置であってもよい。
【０１０１】
【発明の効果】
以上詳細に説明したように、本発明に係るディスクドライブ装置では、遮蔽手段によりディスク状記録媒体を保持する回転駆動手段の周囲を覆う遮蔽空間が形成されることから、塵埃等を含んだ空気がディスク状記録媒体を保持する回転駆動手段の周囲からディスクカートリッジの内部に吸い込まれることがなく、ディスカートリッジ内部を清浄に保つことができる。そして、このディスクドライブ装置では、遮蔽空間とカートリッジ収納空間とがフィルタを介して連通していることから、フィルタにより清浄された空気がカートリッジ収納空間から遮蔽空間内に供給される。これにより、ディスクカートリッジの内部に清浄された空気を供給することができ、当該ディスクカートリッジの内部を塵埃等により汚染することなく、遮蔽空間内の極端な圧力低下を抑えることができる。
【０１０２】
また、このディスクドライブ装置では、フィルタを介してカートリッジ収納空間内の空気を遮蔽空間側へと吸引することから、当該カートリッジ収納空間内の空気を清浄にすることができる。
【０１０３】
また、このディスクドライブ装置では、カートリッジ収納空間内の圧力が外部よりも高くなることから、当該カートリッジ収納空間内に塵埃等を含んだ外部の空気が侵入することを防止することができる。
【０１０４】
したがって、このディスクドライブ装置によれば、ディスクカートリッジの内部に回転自在に収納されたディスク状記録媒体に対して情報信号の記録及び／又は再生を行う際、極めて高い防塵性を発揮することができる。
【図面の簡単な説明】
【図１】本発明の実施の形態として示すディスドライブ装置及びディスクカートリッジを示す斜視図である。
【図２】本発明を適用したディスクドライブ装置に収納されるディスカートリッジの構成を示す分解斜視図である。
【図３】同ディスクドライブ装置にディスクカートリッジが収納された状態を示す概略断面図である。
【図４】図１に示すディスクドライブ装置の上カバーを省略して示す概略斜視図である。
【図５】図４に示すディスクドライブ装置のホルダを省略して示す概略斜視図である。
【図６】フィルタの構成を示す断面斜視図である。
【図７】本発明を適用したディスクドライブ装置の別の構成を示す概略斜視図である。
【図８】同ディスクドライブ装置にディスカートリッジが収納された状態を示す概略断面図である。
【図９】従来のディスクドライブ装置の構成を示す概略斜視図である。
【図１０】同ディスクドライブ装置に収納されるディスクカートリッジの構成を示す分解斜視図である。
【符号の説明】
１  ディスクドライブ装置、１ａ  カートリッジ収納空間部、２  ディスクカートリッジ、６  磁気ディスク、７  ハブ用開口部、８  ヘッド用開口部、９  シャッタ機構、１０  ハブ、１１  ケース、１２  装置本体、１３ｂ  カートリッジ挿脱口、１５  シャッタ、１６  シャーシ、１７  スピンドルモータ、１８ヘッドアクチュエータ、１９  ホルダ、２５  ディスクテーブル、２６  チャッキングマグネット、２９  浮上ヘッドスライダ、３０  遮蔽部材、３１  モータ空間部、３２  フィルタ空間部、３３  フィルタ、３５  吸気孔、３８  管路、３９  溝、４０  シール部材、４１  第２の空間部、４２  第２のフィルタ、４５  第２の管路、４６  第２の溝、４７  第２のシール部材
【図１】
0004051828.tif 000002
【図２】
0004051828.tif 000003
【図３】
0004051828.tif 000004
【図４】
0004051828.tif 000005
【図５】
0004051828.tif 000006
【図６】
0004051828.tif 000007
【図７】
0004051828.tif 000008
【図８】
0004051828.tif 000009
【図９】
0004051828.tif 000010
【図１０】
0004051828.tif 000011